(57)【要約】【目的】粘着テープを切断するときテープカッターにテープの切断寸法を表示することを目標ににして、テープカッターからテープを引き出す力を利用しロールを回転し、テープを引き出した寸法と同じ寸法だけスケールを引き出して、その寸法をテープの切断寸法として表示することを目的として考案したものだある。【構成】テープカッターと巻尺スケールを組み合わせ、テープカッターからテープの引き出す力と移動する距離を利用し引き出したテープの長さ分だけロールを回転する、このロールの回転と同じ長さ分だけ巻尺スケールが引き出される、このため引き出したテープの長さと引き出されたテープの長さは同寸法であり、寸法表示窓に表示されたスケール寸法がテープ切断寸法として表示される。電磁式クラッチを介してロールを逆回転させ引き出されたスケールを元の位置に戻し、表示寸法を０点に合わせ、次のテープ切断に備える。以上の概要のごとく構成された切断寸法表示テープカッターである。【選択図】　図３
2004059315.tif 000002
【特許請求の範囲】
【請求項１】
（イ）テープカッターからテープ（２）の引き出す力と移動距離を利用し、テープ粘着面の抵抗でテープ回転ロール（３）を回転する。
（ロ）テープ回転ロール（３）が回転すると電磁式クラッチ（５）を介して突起つきスケール引き出しロール（６）とゴムベルト掛けロール（７）がテープ回転ロール（３）と同時に同じ回転数だけ回転する。
（ハ）突起つきスケール引き出しロール（６）が回転すると回転数の長さ分だけ巻尺スケール（９）が引き出されロールカバー（１０）に設けた寸法表示窓（１１）にテープ切断寸法として表示される。
（ニ）突起つきスケール引き出しロール（６）が回転すると同時にゴムベルト掛けロール（７）とスケール巻取りゴムベルトロール（１３）がゴムベルト（１４）によって回転し、引き出されたスケールをスケール巻取りロール（１２）で巻取り収納する。
（ホ）テープの切断寸法を寸法表示窓（１１）に表示された寸法で確認しながら目標の切断寸法までテープを引き出し切断する。切断するときはテープの切断個所をテープ切刃（１５）に付けて下に強く押し下げ切断する。
（ヘ）テープ切刃（１５）をテープで下に強く押し下げたときテープ切刃（１５）が下に押し込まれ、テープ切刃（１５）の下に設置された電磁式クラッチ開閉スイッチ（１６）のスイッチがＯＮとなりクラッチが開となる。なお、押し込まれたテープ切刃（１５）は切刃の下に設置のスプリングバネが働き上に押し上げられ通常の位置に戻る。
（ト）電磁式クラッチ（５）が開となったときスケール巻戻しゼンマイバネ（１７）が働きスケールセットロール（８）が逆回転し引き出されたスケールを巻戻す。巻戻されたスケールは寸法表示窓（１１）に寸法目盛り０点を表示しタッチリミットスイッチが作動して停止し電磁式クラッチ（５）のスイッチがＯＦＦとなって閉ざされ、次のテープの切断に備える。
以上のごとく構成された切断寸法表示テープカッター
【発明の詳細な説明】
【０００１】
【考案に属する技術分野】
この発明はテープカッターと巻尺スケールを組み合わせ、テープカッターからテープを引き出す力と移動距離を利用し引き出したテープの長さ分だけロールを回転し、そのロールの回転の長さ分だけ巻尺スケールを引き出す、引き出したテープの寸法とスケールの寸法は同寸法である。このためテープカッターからテープを引き出した寸法を切断寸法として表示する。表示された寸法を確認しながらテープを切断できるため、目標の寸法に正確に切断することができる切断寸法表示テープカッターに関するものである。
【０００２】
【従来の技術】
従来のテープカッターにはテープの切断寸法を表示できるテープカッターはなくテープを切断するときは目測で判断していた。このため切断寸法に誤差が生じ正確な寸法に切断することができなかった。
【０００３】
【考案が解決しようとする課題】
これは次のような欠点があった。
必要なテープの長さを切断するとき目測で長さを判断していた、このためテープの長さに誤差が生じ封筒や紙袋の封緘、箱類等の包装などをするときテープが短く継ぎ貼りしたり、長すぎて折り返したりしていた、このため見栄えも悪く労力にも無駄があった。
【０００４】
【問題を解決する手段】
本案はその欠点を除くため発明されたもので、それを図面について説明すれば図１のごとく、テープカッターからテープ（２）を引き出す力と移動距離を利用しテープ回転ロール（３）を回転する。このテープ回転ロール（３）の空転を防止するためテープ抑えロール（４）でテープを上から抑える、このテープ抑えロール（４）はロールの軸を溝にはめ込み簡単に取り付け、取り外しができる構造とする。
図２、図３のごとく、テープ（２）を引き出しテープ回転ロール（３）が回転するときは電磁式クラッチ（５）が閉となっており突起つきスケール引き出しロール（６）とゴムベルト掛けロール（７）が同時に同じ回転数だけ回転する。
突起つきスケール引き出しロール（６）が回転すると回転数の長さ分だけ巻尺スケール（９）を引き出しスケールセットロール（８）が回転する。引き出された巻尺スケール（９）はロールカバー（１１）に設けた寸法表示窓（１１）にテープ切断寸法として表示される。
突起つきスケール引き出しロール（６）が回転すると同時にゴムベルト掛けロール（７）とスケール巻取りゴムベルトロール（１３）がゴムベルト（１４）によって回転し引き出されたスケール（２）はスケール巻取りロール（１２）に巻き取られ収納する。
寸法表示窓（１１）に表示されるテープ引き出し寸法を確認しながら目標の切断寸法までテープを引き出し切断する。テープを切断するときはテープ切断個所を下に下げ、テープ切刃（１５）に付けテープを下に強く押し下げる、このときテープ切刃（１５）は下に押し込まれテープ切刃（１５）の下に設置した電磁式クラッチ開閉スイッチ（１６）がＯＮとなりクラッチが開となりスケール巻き戻しゼンマイバネ（１７）が働きスケールが引き戻される。寸法表示窓（１１）にスケール目盛り０点を表示しタッチリミットスイッチが作動しスケールセットロール（８）の回転が停止し巻戻しが終了し電磁式クラッチ（５）のスイッチがＯＦＦとなって閉ざされ、次のテープの切断に備える。なお、押し込まれたテープ切刃（１５）は切刃の下のスプリングバネが働き上に押し上げられ通常の位置にもどる。
【０００５】
【考案の実施の形態】
（イ）テープの引き出す力と移動距離でテープ回転ロール（３）を回転しスケールを寸法表示しているがロール状に巻かれたテープの外周の回転の力でテープ回転ロール（３）を回転することができる。
（ロ）テープ回転ロール（３）は粘着剤の付着防止と空転防止のため表面に凹凸加工を施すことができる。
（ハ）テープ切刃（１５）は差し込み、取り外しができる構造としテープの材質強度等により形状を変更し付け替えて使用できる。
（ニ）電磁式クラッチ（５）は咬合式クラッチ、ギア式クラッチ、ベアリング式クラッチ等に変更することができる。
（ホ）突起つきスケール引き出しロール（６）の突起の咬合わせによるスケールの引き出し方法に変えて、ロールとスケールの咬合せを波形に変更しスケールを引き出すことができる。
（ヘ）スケール巻き戻しゼンマイバネ（１７）は小型モーターに変更し、電磁式クラッチ（５）のスイッチと連動させ仕様を変更して利用することができる。
（ト）テープセットロール（１）はテープの巻き筒の内径に合わせて、直径の異なるセットロール（１）を用意し、セットロール（１）とテープを付け替えて使用することができる。
（チ）テープ回転ロール（３）はテープ粘着面で回転しているがテープ非粘着面で回転することができる。
【０００６】
【考案の効果】
本案は以上のような構造でこれを使用するときは、テープカッターからテープを引き出しながら寸法表示窓に表示されるテープ切断寸法を確認しながら、目標のテープの切断寸法に切断することができる。なた、何本でも正確な寸法に切断できるためテープの切断だけでなく幅の広い表面保護テープ等の切断にも活用できる。
【図面の簡単な説明】
【図１】本考案の右側面図である。
【図２】本考案の左側面図である。
【図３】本考案の上面図である。
【符号の説明】
１　テープセットロール　２　テープ　３　テープ回転ロール
４　テープ抑えロール　　５　電磁式クラッチ
６　突起つきスケール引き出しロール　７　ゴムベルト掛けロール
８　スケールセットロール　９　巻尺スケール　１０　ロールカバー
１１　寸法表示窓　１２　スケール巻取りロール
１３　スケール巻取りゴムベルトロール　１４　ゴムベルト
１５　テープ切刃　１６　電磁式クラッチ開閉スイッチ
１７　スケール巻戻しゼンマイバネ
【図１】
2004059315.tif 000003
【図２】
2004059315.tif 000004
【図３】
2004059315.tif 000005